(57)【特許請求の範囲】
【請求項１】
主軸と、この主軸に保持される１対のジャンパー線把持具と、少なくとも一方のジャンパー線把持具を主軸の軸心方向の任意の位置に位置決めする位置決め手段を備え、ジャンパー線把持具の一方を主軸に保持される側の基部と、ジャンパー線を把持する側の把持部とに分割し、把持部を基部に対して傾斜角位置に傾動しうるように構成したジャンパー線ホルダーを開いてジャンパー線の切断端面を離開する作業方法であって、前記ジャンパー線ホルダーの１対のジャンパー線把持具で挟持されたジャンパー線を、両挟持点間の適所で切断した後、一方のジャンパー線把持具を他方のジャンパー線把持具から遠ざける方向に主軸に沿って移動させ、これと相前後して、前記把持具を前記基部に対して傾斜角位置に傾動させることによって、ジャンパー線の両切断端面間を離開させることを特徴とするジャンパー線の切断端面を離開する作業方法。
【請求項２】
ジャンパー線ホルダーは、主軸が樹脂パイプと、この樹脂パイプに嵌合固定される樹脂製のラック軸とで構成され、樹脂パイプに一方のジャンパー線把持具が固定され、ラック軸にそのラック歯に噛み合うピニオンを備えた他方のジャンパー線把持具が移動可能に保持されると共に、１対のジャンパー線把持具が樹脂製であるものである請求項１記載のジャンパー線の切断端面を離開する作業方法。
【請求項３】
ジャンパー線ホルダーは樹脂パイプの表面が撥水性樹脂チューブで被覆され、樹脂パイプの端面が封口されているものである請求項２記載のジャンパー線の切断端面を離開する作業方法。
【発明の詳細な説明】
【０００１】
【発明の属する技術分野】
本発明はジャンパー線の切断端面を離開する作業方法に関するものである。
【０００２】
【従来の技術】
図１に示すように、電柱５１の両側の電線５２ａ、５２ｂの夫々の端部が電柱５１に引留められている箇所においては、両電線５２ａ、５２ｂ間を導通するためのジャンパー線５３が設けられている。そして、工事時にはジャンパー線５３の下流側のみを停電させるために、ジャンパー線５３の切断が行われ、その後に修復が行われる。
【０００３】
ジャンパー線５３の切断後、修復によりジャンパー線５３が接続されるまでの間は、上流側に電流が流れているのでジャンパー線５３の切断端面間を確実に離開させておく必要があり、そのために図２に示すようなジャンパー線ホルダーＢが用いられている。
【０００４】
このジャンパー線ホルダーＢは、その主要部が金属製のものであり、又主軸５４と、この主軸５４の一端に固定される固定側把持具５５と、主軸５４の軸心方向に摺動しその任意の位置に位置決めされる可動側把持具５６とを備え、可動側把持具５６は位置決めボルト５７等で所定の位置に位置決めされる。
【０００５】
両把持具５５、５６は、ジャンパー線５３を着脱可能に把持できるように構成されており、ジャンパー線５３を把持した後、ジャンパー線５３が切断されると、可動側把持具５６は図２の矢印方向に移動された後、位置決めボルト５７によってその位置で固定される。これによりジャンパー線５３の切断端面間を離開させている。
【０００６】
【発明が解決しようとする課題】
ところが従来のジャンパー線ホルダーを開いた作業は、可動側把持具５６を移動させるための作業を円滑に行うことは困難であり、又可動側把持具５６を主軸５４の軸心方向に移動させるため、その移動距離を十分にとる必要があって、作業能率が悪いという問題があった。
【０００７】
又従来のジャンパー線ホルダーは、その主要部が金属製のものであるため、重量が大で取扱いにくく、又ホルダーを通じての漏電の危険性があった。
【０００８】
更に従来のジャンパー線ホルダーを開いた作業は、遠隔操作を行うことが困難であった。
【０００９】
【課題を解決するための手段】
本発明は、主軸と、この主軸に保持される１対のジャンパー線把持具と、少なくとも一方のジャンパー線把持具を主軸の軸心方向の任意の位置に位置決めする位置決め手段を備え、ジャンパー線把持具の一方を主軸に保持される側の基部と、ジャンパー線を把持する側の把持部とに分割し、把持部を基部に対して傾斜角位置に傾動しうるように構成したジャンパー線ホルダーを開いてジャンパー線の切断端面を離開する作業方法であって、前記ジャンパー線ホルダーの１対のジャンパー線把持具で挟持されたジャンパー線を、両挟持点間の適所で切断した後、一方のジャンパー線把持具を他方のジャンパー線把持具から遠ざける方向に主軸に沿って移動させ、これと相前後して、前記把持具を前記基部に対して傾斜角位置に傾動させることによって、ジャンパー線の両切断端面間を離開させることを特徴とする。
【００１０】
本発明によれば、両把持部に把持されたジャンパー線を切断した後、可動側のジャンパー線把持具をわずかに離開方向に移動させ、ジャンパー線把持具の把持部を基部に対し傾動させるだけで、ジャンパー線の両切断端面を確実に離開させることができる。このため作業の円滑化と能率向上を図ることができる。
【００１１】
上記作業に用いるジャンパー線ホルダーとして、主軸が樹脂パイプと、この樹脂パイプに嵌合固定される樹脂製のラック軸とで構成され、樹脂パイプに一方のジャンパー線把持具が固定され、ラック軸にそのラック歯に噛み合うピニオンを備えた他方のジャンパー線把持具が移動可能に保持されると共に、１対のジャンパー線把持具が樹脂製であるものを用いれば好適である。
【００１２】
上記のようにすれば、ジャンパー線ホルダーのほぼ全体が樹脂で構成され、軽量となり作業性が良くなり、絶縁性にもすぐれると共に、ピニオンラック機構を利用しているので、遠隔操作がやり易くなる。
【００１３】
また上記作業に用いるジャンパー線ホルダーとして、樹脂パイプの表面が撥水性樹脂チューブで被覆され、樹脂パイプの端面が封口されているものを用いれば好適である。
【００１４】
上記のようにすれば、樹脂パイプの表面が撥水性チューブで被覆され、樹脂パイプの端面が封口されているので、ほぼ全体が樹脂製であることと相俟って降雨時においての絶縁性を高め、ホルダーを通じての漏電を確実に防止することができる。
【００１５】
【発明の実施の形態】
図３、図４に本発明の一実施の形態であるジャンパー線ホルダーＡを示している。
【００１６】
図３において、１は主軸である。この主軸１はＦＲＰ製の樹脂パイプ２と、この樹脂パイプ２に嵌合固定されるナイロン製のラック軸３とで構成されている。
【００１７】
ラック軸３の基部４は樹脂パイプ２に嵌入され、金属製の結合ピン５によって固定されている。樹脂パイプ２の外端にはナイロン製の鍔付き栓体６が嵌入結合され、樹脂パイプ２の端面は封口されている。又樹脂パイプ２の外端近傍には固定把持具（ジャンパー線把持具）７が嵌合状態で固定されている。更に樹脂パイプ２の外周にはフッ素系樹脂のチューブ８を被覆して、撥水性表面となるようにしている。前記ラック軸３の基部４に隣接する部位は、遠隔操作用ヤットコ、遠隔操作用プラーグリップなどによって把持される工具取扱い部９となっていて、その両側に鍔部９ａ、９ａが形成されている。又工具取扱い部９にはＦＲＰ製の収縮チューブ１０が被覆されている。ラック軸３の残部下面にはラック歯１１が形成され、又その一側面にはガイド溝１２が凹設されている。ラック軸３の外端には鍔部１３が設けられている。ラック軸３には、前記ラック歯１１に噛み合うピニオン２２を備えた可動把持具（ジャンパー線把持具）１５が移動可能に保持されている。
【００１８】
可動側把持具１５は、図３及び図４に示すように、前記ラック軸３に移動可能に保持される側の基部１６と、ジャンパー線５３を把持する側の把持部１７とに分割され、把持部１７は基部１６に対して任意の傾斜角位置に傾動しうるように構成されている。
【００１９】
基部１６は、左右１対の側板１８、１８をその下端部において、スペーサ１９を介して結合ピン２０で結合すると共に、その上端部において、枢支ピン２１で結合することにより構成されている。又両側板１８、１８間には前記ラック歯１１に噛み合うピニオン２２が回転自在に支持されている。このピニオン２２の一方の軸は側板１８から外方に突出し、この突出部に六角頭２３が固着されている。又一方の側板１８に設けたネジ孔２４にはリング頭２５ａを有し、可動側把持具１５を固定するためのネジ２５が螺合され、その先端が前記ガイド溝１２内に突入している。２６は補助ナットである。又上記ラック歯１１とピニオン２２とが可動把持具１５の位置決め手段となる。
【００２０】
前記把持部１７は、チャネル状の上部２７とその下面中央から下方に伸びる下部２８とを一体に有する把持部本体２９と、前記上部２７の水平部に案内されて移動するスライダ３０と、このスライダ３０を移動させる駆動ネジ３１とから構成されている。前記上部２７の一方の側壁２７ａにはネジ孔３２を設け、ここに六角頭３１ａを有する駆動ネジ３１を螺合している。駆動ネジ３１の先端には前記スライダ３０が嵌合され、結合ピン３２´によって相対回転自在に結合されている。前記スライダ３０の前面３０ａと、上部２７の他方の側壁２７ｂの内側面２７ｃとの間には着脱可能にジャンパー線５３が把持されるが、この把持を確実に行えるように両方の面３０ａ、２７ｃは緩やかにＶ状に窪む面となっている。
【００２１】
把持部１７の下部２８の下端にはピン挿通孔３３が設けられていて、ここに前記枢支ピン２１が挿通され、把持部１７は基部１６に対して枢支ピン２１まわりに傾動できるように構成されている。そして枢支ピン２１の両端頭部２１ａ、２１ａ間の間隔を調整することにより、把持部１７の下部２８に挟圧力を及ぼして、把持部１７に適度な摩擦を与え、所望の傾動位置に停止しうるように構成している。図示しないが把持部１７の傾動と所定位置での停止を円滑に行うために、ボルト・ナットを用いたり、皿バネ等のバネ材を用いると好適である。
【００２２】
前記固定把持具７は、その把持部１７ａと基部１６ａとが一体形成され、基部１６ａが前記樹脂パイプ２に嵌合固定されている。把持部１７ａは、可動把持具１５の把持部１７と基本的には同様に構成され、チャネル状の上部２７ｄ、スライダ３０ｂ、駆動ネジ３１ｂ等を備えているが、把持部１７ａが基部１６ａと一体となっている点で、可動把持具１５と異なっている。
【００２３】
前記可動把持具１５及び固定把持具７は、結合ピン２０、枢支ピン２１、結合ピン３２が金属製である他は、すべてナイロン製の部品で構成されている。
【００２４】
次に上記ジャンパー線ホルダーＡを用いた作業方法を説明する。
【００２５】
２人の作業者の内１人の作業者がホルダーＡの工具取扱い部９を遠隔操作用ヤットコなどで把持し、ホルダーＡをジャンパー線５３の切断箇所に移動させ、ジャンパー線５３が両把持具７、１５のスライダ３０ｂ、３０と前記上部２７ｄ、２７の側壁間を挿通する位置に保持する。他の作業者が遠隔操作用レンチなどを用いて前記駆動ネジ３１ｂ、３１を締付けて、前記スライダ３０ｂ、３０と前記側壁間にジャンパー線５３を挟持する。
【００２６】
次いでホルダーＡの両挟持点間において、ジャンパー線５３を遠隔操作用カッタなどを用いて切断する。次いで、遠隔操作用レンチなどを用いて、前記六角頭２３ひいてはピニオン２２を回転させて、可動把持具１５を固定把持具７から遠ざける方向に移動させる。更に遠隔操作用フックなどを用いて、可動把持具１５の把持部１７を図３に一点鎖線で示すように傾動させる。可動把持具１５を遠ざける方向に移動させる作業と、これを傾動させる作業の順序は逆であってもよい。
【００２７】
このようにしてジャンパー線５３の両切断端面間を、図３に一点鎖線で示すように確実に離開させることができる。その後所定の作業、修復作業を行う。
【００２８】
【発明の効果】
本発明によれば、ジャンパー線の両切断端面を確実に離開させる作業を円滑かつ能率的に行え、遠隔操作作業に適したジャンパー線の切断端面を離開する作業方法を提供することができる。
【００２９】
又本発明によれば、軽量で取扱い易く、ホルダーを通じての漏電を確実に防止できるジャンパー線ホルダーを用いて上記作業を行うことができる。
【図面の簡単な説明】
【図１】ジャンパー線を説明する概略図。
【図２】従来例を示す概略図。
【図３】本発明の実施の形態を示す正面図。
【図４】その要部の断面図。
【符号の説明】
１  主軸
２  樹脂パイプ
３  ラック軸
７  ジャンパー線把持具
８  撥水性樹脂チューブ
１１  ラック歯
１５  ジャンパー線把持具
１６  基部
１７  把持部
２２  ピニオン
５３  ジャンパー線
【図１】
0003565971.tif 000002
【図２】
0003565971.tif 000003
【図３】
0003565971.tif 000004
【図４】
0003565971.tif 000005